(57)【特許請求の範囲】
【請求項１】
コンクリートまたはモルタルから構成されたベース面と、このベース面上に敷設される透水性を備えた下地層と、この下地層上に敷設される透水性を備えた表層からなり、
前記ベース面に排水管の入口を開口させるとともに、このベース面には前記排水管の入口に水が流入するように勾配を設け、
下地層は、粒径が２０ｍｍ以上で３０ｍｍ以下の石材から構成される重量のある多数の骨材を、セメントから構成される接合剤により一体に結合して、空隙率が１５％以上で３５％以下の第１下地層と、該第１下地層上に形成されて、粒径が６ｍｍ以上で２０ｍｍ未満の石材から構成される重量のある多数の骨材を、セメントから構成される接合剤により一体に結合して、空隙率が１５％以上で３０％以下の第２下地層とから成り、
前記表層は、粒径が３ｍｍ以上で６ｍｍ未満の石材から構成される重量のある多数の骨材を、セメントから構成される接合剤により一体に結合して、空隙率が１０％以上で２５％以下としていることを特徴とする床面または路面の舗装構造。
【発明の詳細な説明】
【０００１】
【発明の属する技術分野】
本発明は、例えばガレージの床面や寺社の参道などの舗装構造に関する。
【０００２】
【従来の技術】
一般にガレージや倉庫の床は、コンクリートを敷設して、該コンクリートにより床面を構築したり、あるいはタイルを敷設して、該タイルにより床面を構築しており、また一方、寺の参道にあっても、路面をコンクリートで舗装するか、あるいは砂利を敷きつめている。
【０００３】
【発明が解決しようとする課題】
しかしながら以上のごとく、床面や路面をコンクリートやタイルで敷きつめてしまうと、床面や路面に水や土埃、泥が溜まり易くて、清掃に手間を要するし、また屋内では、音の反響も大きくなる不具合がある。
【０００４】
また路面に砂利を敷きつめたものでは、歩行し難い不具合がある。
【０００５】
本発明は以上の実情に鑑みて開発したものであって、目的とするところは、土埃や泥あるいは水がたまるのを防止でき、しかも耐久性に優れた床面や路面の舗装構造を提供するにある。
【０００６】
【課題を解決するための手段】
以上の目的を達成するために、請求項１記載の発明は、コンクリートまたはモルタルから構成されたベース面と、このベース面上に敷設される透水性を備えた下地層と、この下地層上に敷設される透水性を備えた表層からなり、前記ベース面に排水管の入口を開口させるとともに、このベース面には前記排水管の入口に水が流入するように勾配を設け、下地層は、粒径が２０ｍｍ以上で３０ｍｍ以下の石材から構成される重量のある多数の骨材を、セメントから構成される接合剤により一体に結合して、空隙率が１５％以上で３５％以下の第１下地層と、該第１下地層上に形成されて、粒径が６ｍｍ以上で２０ｍｍ未満の石材から構成される重量のある多数の骨材を、セメントから構成される接合剤により一体に結合して、空隙率が１５％以上で３０％以下の第２下地層とから成り、前記表層は、粒径が３ｍｍ以上で６ｍｍ未満の石材から構成される重量のある多数の骨材を、セメントから構成される接合剤により一体に結合して、空隙率が１０％以上で２５％以下としていることを特徴とする。
【０００７】
【発明の実施の形態】
図１は、ガレージの床を本発明にかかる舗装構造により、形成したものであって、先ず床に排水管１を敷設した上でコンクリート若しくはモルタルを所定厚さ流して、ベース面２を形成するのであって、該ベース面２には、排水管１の入口１０に水が流入するように適宜勾配を付ける。
【０００８】
また排水管１の入口１０は、金網１１等で覆っておく。
【０００９】
尚、以上のベース面２を形成する際、床上に補強材としての鉄筋を組み込んだ上でコンクリート若しくはモルタルを流し込んでもよい。
【００１０】
次にこのベース面１上に、第１下地層３ａと第２下地層３ｂから構成される下地層３を形成するのであって、第１下地層３ａは、骨材として平均粒径が２５ｍｍ程度の重量のある砂利５を使用すると共に、接合剤としてポルトランドセメント６を使用し、前記粒径の砂利５とポルトランドセメント６と水を混合して練ったものをベース面１上に、所定厚さ、即ち図に示す実施形態では、６０ｍｍの厚さ流し込んで硬化させて、砂利５相互間に連続開気孔７を多数形成した空隙率が約２５％の通気性並びに通水性を有する第１下地層３ａをベース面１上に形成するのである。
【００１１】
また第１下地層３ａ上に形成される第２下地層３ｂは、骨材として平均粒径が１０ｍｍ程度の重量のある砂利５と接合剤としてのポルトランドセメント６と水を混合して練ったものを第１下地層３ａ上に、所定厚さ、即ち図に示す実施形態では、１００ｍｍの厚さ流し込んで硬化させて、砂利５相互間に連続開気孔７を多数形成した空隙率が約２０％の通気性並びに通水性を有する第２下地層３ｂを第１下地層３ａ上に形成するのである。
【００１２】
そして更に前記第２下地層３ｂ上に表層４を形成するのであって、該表層４は、骨材として平均粒径が５ｍｍ程度の砂利５と接合剤としてのポルトランドセメント６と水を混合して練ったものを第２下地層３ｂ上に、所定厚さ、即ち図に示す実施形態では、２０ｍｍの厚さ流し込んで硬化させて、砂利５相互間に連続開気孔７を多数形成した空隙率が約１５％の通気性並びに通水性を有する表層４を第２下地層３ｂ上に形成するのである。
【００１３】
斯くして以上のごとく舗装された床面にあっては、表層４を形成する砂利５の粒径が５ｍｍと細かいものであるので、歩行には何ら問題がなく、床上に水が流されても、直ちに、連続開気孔７を介してベース面２に流下して、該ベース面２を伝って排水管１に回収されるのである。
【００１４】
また床上に落ちる土埃、泥にあっても、前記連続開気孔７に入り、床上に流される水と共にベース面２に流下して、該ベース面２を伝って排水管１に回収され、床面上に溜まることがないのである。
【００１５】
従って以上の床面にあっては、表層４の表面に勾配を設ける必要がないのである。
【００１６】
しかも表層４を形成する砂利よりも下地層３を形成する砂利の粒径を大きくしているので、該下地層３に形成される連続開気孔７の口径も必然的に大きくなり、そのため表層４の連続開気孔７に流入する土埃、泥が途中で引っ掛かって連続開気孔７が詰まってしまうようなことも抑制される。
【００１７】
また騒音にあっても連続開気孔７に吸い込まれ、騒音を効率良く低減することが出来る。
【００１８】
以上の実施形態において、第１下地層３ａは、骨材として平均粒径が２５ｍｍの砂利５を使用して、砂利５相互間に連続開気孔７を多数形成した空隙率が約２５％の通気性並びに通水性を有するように形成したが、これに限定されるものではなく、骨材の平均粒径は、２０ｍｍ〜３０ｍｍの範囲で、また空隙率が１５％〜３５％の範囲であればよい。
【００１９】
また以上の実施形態において、第２下地層３ｂは、骨材として平均粒径が１０ｍｍの砂利５を使用して、砂利５相互間に連続開気孔７を多数形成した空隙率が約２０％の通気性並びに通水性を有するように形成したが、これに限定されるものではなく、骨材の平均粒径は、６ｍｍ〜２０ｍｍの範囲で、また空隙率が１５％〜３０％の範囲であればよい。
【００２０】
また以上の実施形態において、表層４は、骨材として平均粒径が５ｍｍの砂利５を使用して、砂利５相互間に連続開気孔７を多数形成した空隙率が約１５％の通気性並びに通水性を有するように形成したが、これに限定されるものではなく、骨材の平均粒径は、３ｍｍ以上で６ｍｍ未満の範囲で、また空隙率が１０％以上で２５％以下の範囲であればよい。
【００２１】
また以上の実施形態では、下地層３を第１下地層３ａと第２下地層３ｂから構成するようにしたが、これに限定されるものではなく、例えば、図２に示すように、ベース面２上に、一層の下地層３を形成して、該下地層３上に表層４を設けるようにしてもよい。
【００２２】
即ち図２に示すものは、骨材として平均粒径が２０ｍｍ程度の重量のある砂利５と接合剤としてのポルトランドセメント６と水を混合して練ったものを、ベース面２上に１００ｍｍの厚さ流し込んで硬化させて、砂利２相互間に連続開気孔７を多数形成した空隙率が約２０％の通気性並びに通水性を有する下地層３をベース面２上に形成した後、骨材として平均粒径が５ｍｍ程度の砂利５と接合剤としてのポルトランドセメント６と水を混合して練ったものを前記下地層３上に、３０ｍｍの厚さ流し込んで硬化させて、砂利５相互間に連続開気孔７を多数形成した空隙率が約１５％の通気性並びに通水性を有する表層４を下地層３上に形成したのである。
【００２３】
また以上の実施形態では、床に、コンクリート若しくはモルタルを所定厚さ流して、ベース面２を形成したが、これに限定されるものではなく、例えば、砂や砂利などで固めたベース面を形成して、このベース面上に下地層及び表層を設けてもよい。
【００２４】
また図３は、参道の路面を本発明にかかる舗装構造により形成したものであって、ベース面２、下地層３、表層４の構成は、前述の図２に示す実施形態と同一であり、相違する点は、排水管１を路面の一側に配設したＵ字状の排水溝８に流し込むようにしている。
【００２５】
以上の実施形態のものにあっても、前記した実施形態と同様の作用効果が期待出来ること言うまでもない。
【００２６】
また以上の各実施形態では、骨材として、砂利を用いたが、これに限定されるものではなく、例えば砕石をもちいてもよい。
【００２７】
【発明の効果】
以上のごとく、請求項１記載の発明によれば、コンクリートまたはモルタルから構成されたベース面と、このベース面上に敷設される透水性を備えた下地層と、この下地層上に敷設される透水性を備えた表層からなり、前記ベース面に排水管の入口を開口させるとともに、このベース面には前記排水管の入口に水が流入するように勾配を設け、下地層は、粒径が２０ｍｍ以上で３０ｍｍ以下の石材から構成される重量のある多数の骨材を、セメントから構成される接合剤により一体に結合して、空隙率が１５％以上で３５％以下の第１下地層と、該第１下地層上に形成されて、粒径が６ｍｍ以上で２０ｍｍ未満の石材から構成される重量のある多数の骨材を、セメントから構成される接合剤により一体に結合して、空隙率が１５％以上で３０％以下の第２下地層とから成り、前記表層は、粒径が３ｍｍ以上で６ｍｍ未満の石材から構成される重量のある多数の骨材を、セメントから構成される接合剤により一体に結合して、空隙率が１０％以上で２５％以下としたことにより、床面または路面の表面に土埃、泥や水がたまることがなく、しかも歩き易くて、耐久性に優れた床面または路面を形成することができ、従来のようにその表面に勾配を設ける必要がなくなるのは勿論のこと、ベース面上に流下する水を、このベース面に設けた勾配により、ベース面に開口する排水管内に確実に回収することができるし、しかもベース面がコンクリートまたはモルタルから形成されているので、床面または路面の剛性をより一層高めることが出来、しかも雨水等の排水管への回収がスムーズに行うことができる。
【００２８】
更に請求項１に記載の発明によれば、骨材として石材を用い、接合剤としてセメントを用いたことにより、製造コストを安価とすることが出来るのは勿論のこと、床面または路面の剛性を十分高めることが出来る。
【図面の簡単な説明】
【図１】 本発明にかかる舗装構造により、舗装された床面の一実施形態を示す概略説明図。
【図２】 本発明にかかる舗装構造により、舗装された床面の別の実施形態を示す概略説明図。
【図３】 本発明にかかる舗装構造により、舗装された路面の一実施形態を示す概略説明図。
【図４】 本発明にかかる舗装構造の要部を拡大して示す説明図。
【符号の説明】
２ ベース面
３ 下地層
３ａ 第１下地層
３ｂ 第２下地層
４ 表層
５ 砂利（骨材）
６ ポルトランドセメント（接合剤）
【図１】
0004206170.tif 000002
【図２】
0004206170.tif 000003
【図３】
0004206170.tif 000004
【図４】
0004206170.tif 000005